【手続補正書】
【提出日】平成16年8月5日(2004.8.5)
【手続補正１】
【補正対象書類名】明細書
【補正対象項目名】特許請求の範囲
【補正方法】変更
【補正の内容】
【特許請求の範囲】
【請求項１】
ディスプレイ要素をアドレシングする装置であって、
第１のディスプレイ導体上で第１の信号を第１の周波数で駆動するように構成された第１のドライバと、
前記第１のディスプレイ導体とは分離した第２のディスプレイ導体上で第２の信号を第１の周波数とは異なる第２の周波数で駆動するように構成された第２のドライバと、
前記第１のディスプレイ導体と第２のディスプレイ導体との間に結合された複数のアドレシング可能な要素と、
を備えており、前記アドレシング可能な要素は、前記第１の信号が前記第２の信号とほぼ同相であるアドレシング可能な要素の位置に従ってアドレシングされ、前記アドレシング可能な要素の位置は、あるアドレシング可能な要素から次の要素まで、ある走査レートで変化することを特徴とする装置。
【請求項２】
請求項１記載の装置において、前記複数のアドレシング可能な要素は、複数のピクセルを含むことを特徴とする装置。
【請求項３】
請求項１記載の装置において、前記走査レートは、前記第１の周波数と前記第２の周波数との差に比例することを特徴とする装置。
【請求項４】
請求項１記載の装置において、前記第１及び第２のディスプレイ導体は、それぞれが、複数のタップオフ・ポイントを含み、それぞれのアドレシング可能な要素は、前記第１の導体上の前記タップオフ・ポイントの１つと前記第２の導体上の前記タップオフ・ポイントの１つとの間に結合されていることを特徴とする装置。
【請求項５】
請求項４記載の装置において、
それぞれが、前記第１のディスプレイ導体上の前記タップオフ・ポイントの異なるものに接続されている、複数のアドレシング可能な要素であるロー導体と、
それぞれが、前記第２のディスプレイ導体上の前記タップオフ・ポイントの異なるものに接続されている、複数のアドレシング可能な要素であるコラム導体と、
を更に備えていることを特徴とする装置。
【請求項６】
請求項５記載の装置において、それぞれのアドレシング可能な要素は、前記ロー導体の１つと前記コラム導体の１つとの間に接続され、ディスプレイ・マトリクスを形成することを特徴とする装置。
【請求項７】
請求項５記載の装置において、前記ロー導体のそれぞれと、前記コラム導体のそれぞれとは、その特性インピーダンスによって終端されていることを特徴とする装置。
【請求項８】
請求項４記載の装置において、前記第１の信号の周期は、前記第１の導体上の前記タップオフ・ポイントの第１のものと前記第１の導体上の前記タップオフ・ポイントの最後のものとの間の前記第１の信号の伝搬遅延よりも大きい又は前記伝搬遅延とほぼ等しいことを特徴とする装置。
【請求項９】
請求項４記載の装置において、前記第１の信号のパルス幅は、前記第１のディスプレイ導体の前記タップオフ・ポイントの隣接するものの間の前記第１の信号の伝搬時間よりも小さい又は前記伝搬遅延とほぼ等しいことを特徴とする装置。
【請求項１０】
請求項９記載の装置において、前記伝搬時間は、前記第１のディスプレイ導体上の隣接するタップオフ・ポイントのそれぞれの対の間でほぼ等しいことを特徴とする装置。
【請求項１１】
請求項４記載の装置において、前記第２の信号の周期は、前記第２の導体上の前記タップオフ・ポイントの第１のものと前記第２の導体上の前記タップオフ・ポイントの最後のものとの間の前記第２の信号の伝搬遅延よりも大きい又は前記伝搬遅延とほぼ等しいことを特徴とする装置。
【請求項１２】
請求項４記載の装置において、前記第２の信号のパルス幅は、前記第２のディスプレイ導体の前記タップオフ・ポイントの隣接するものの間の前記第２の信号の伝搬時間よりも小さい又は前記伝搬遅延とほぼ等しいことを特徴とする装置。
【請求項１３】
請求項１２記載の装置において、前記伝搬時間は、前記第２のディスプレイ導体上の隣接するタップオフ・ポイントのそれぞれの対の間でほぼ等しいことを特徴とする装置。
【請求項１４】
請求項４記載の装置において、それぞれのタップオフ・ポイントと前記第１及び第２のディスプレイ導体との間に遅延要素を更に備えていることを特徴とする装置。
【請求項１５】
請求項１４記載の装置において、前記それぞれの遅延要素は、ヘビ状のプリント回路ボード・トレースを含むことを特徴とする装置。
【請求項１６】
請求項１記載の装置において、前記第１のディスプレイ導体は、その特性インピーダンスによって終端されており、前記第２のディスプレイ導体は、その特性インピーダンスによって終端されていることを特徴とする装置。
【請求項１７】
請求項１記載の装置において、選択ピクセル位置がアドレシングされ、前記第１の信号と前記第２の信号との間の電圧差が前記アドレシングされたピクセルの付勢に十分であるとき、前記第１の信号の振幅と前記第２の信号の振幅とを変調することによって、前記ピクセルが選択的に付勢されることを特徴とする装置。
【請求項１８】
請求項１７記載の装置において、それぞれのピクセルの両端に結合されたコンデンサと整流回路とを更に備えていることを特徴とする装置。
【請求項１９】
請求項１記載の装置において、前記ピクセルは、マトリクスに構成され、前記マトリクスにおいて対角線方向のシーケンスでアドレシングされることを特徴とする装置。
【請求項２０】
請求項１記載の装置において、前記ディスプレイにおけるすべてのピクセルは、前記第１及び第２のドライバによってアドレシング可能であることを特徴とする装置。
【請求項２１】
ピクセル・ディスプレイであって、
それぞれが、第１のディスプレイ導体と分離した第２のディスプレイ導体との間に結合された、一連のピクセルと、
前記第１のディスプレイ導体の第１の信号を駆動する第１のドライバと、
前記第２のディスプレイ導体の第２の信号を駆動する第２のドライバと、
を備えており、前記ピクセルは、前記第１の信号と前記第２の信号との間の周波数の差に比例するレートでシーケンシャルにアドレシングされ、前記第１の信号と前記第２の信号との間の振幅の差に従って選択的に付勢されることを特徴とするピクセル・ディスプレイ。
【請求項２２】
アドレシング可能な要素アレイを駆動する方法であって、
第１の導体上の第１の信号を第１の周波数で駆動するステップと、
第２の導体上の第２の信号を第２の周波数で駆動するステップであって、前記第２の導体は前記第１の導体とは分離しており、前記第１の周波数は前記第２の周波数とは異なり、アドレシング可能な要素は、前記第１の信号が前記第２の信号とほぼ同相であるアドレシング可能な要素の位置に従ってシーケンシャルにアドレシングされる、ステップと、
オンされるように選択されたピクセルがアドレシングされ、前記第１の信号と第２の信号との振幅差が前記選択されたアドレシング可能な要素を付勢するのに十分である間、前記第１及び第２の信号の振幅を変調することによって、選択アドレシング可能な要素を付勢するステップと、
を含むことを特徴とする方法。
【請求項２３】
請求項２２記載の方法において、前記アドレシング可能な要素はピクセルを含むことを特徴とする方法。
【請求項２４】
請求項２３記載の方法において、オンされないように選択されたピクセルがアドレシングされ、前記第１及び第２の信号の振幅差が前記選択されたピクセルを付勢するには不十分である間、前記第１及び第２の信号の振幅を変調するステップを更に含むことを特徴とする方法。
【請求項２５】
請求項２３記載の方法において、前記第１及び第２の信号は、デジタル・パルス列を含むことを特徴とする方法。
【請求項２６】
請求項２５記載の方法において、前記第１及び第２の信号が前記ピクセルのただ１つの位置においてほぼ同相であり、整列されたパルスの振幅差が当該ピクセルを付勢するときに、前記第１の信号からの一連のパルスが前記第２の信号からの一連のパルスと整列することを特徴とする方法。